(57)【要約】【課題】ペットの尿の飛散を防止するためのカバー部材の固定作業や交換作業を簡単に行えるペット用トイレカバー及びペット用トイレを提供する。【解決手段】ペット用トイレ２の周囲に配置されるロール部材３及び複数の支柱部材４を備え、ロール部材３が、底板部５と、軸部６と、フィルムロール７を備え、支柱部材４が、底板部５と、支持部９と、支柱１０を備え、フィルムロール７から引き出したカバーフィルム８を、周方向の途中位置の支柱１０に引っ掛けるようにしてフィルムロール７と支柱１０の間及び支柱１０同士の間に張り渡し、カバーフィルム８の先端部を、周方向の端部位置の支柱１０に留め具１１で着脱自在に固定した。軸部６は、パイプ状に形成してもよい。支柱１０は、パイプ状に形成してもよい。カバーフィルム８は、周方向の途中位置の支柱１０に留め具１１で着脱自在に固定してもよい。【選択図】図６
2019068764.tif 000002
【特許請求の範囲】
【請求項１】
ペット用トイレの周囲に配置されるロール部材及び複数の支柱部材を備え、
前記ロール部材が、底板部と、前記底板部の上面に突設された軸部と、カバーフィルムが巻回されかつ前記軸部に回転自在に外嵌されたフィルムロールを備え、
前記支柱部材が、底板部と、前記底板部の上面に突設されたパイプ状の支持部と、前記支持部内に嵌入された支柱を備え、
前記フィルムロールから引き出したカバーフィルムを、周方向の途中位置の前記支柱に引っ掛けるようにして前記フィルムロールと前記支柱の間及び前記支柱同士の間に張り渡し、
前記カバーフィルムの先端部を、周方向の端部位置の前記支柱に留め具で着脱自在に固定した
ことを特徴とするペット用トイレカバー。
【請求項２】
前記軸部をパイプ状に形成した請求項１に記載のペット用トイレカバー。
【請求項３】
前記支柱をパイプ状に形成した請求項１又は２に記載のペット用トイレカバー。
【請求項４】
前記カバーフィルムを、周方向の途中位置の前記支柱に留め具で着脱自在に固定した請求項１から３のいずれかに記載のペット用トイレカバー。
【請求項５】
トイレ本体部と、
前記トイレ本体部の上面の隅部近傍にそれぞれ突設された軸部及び複数のパイプ状の支持部と、
カバーフィルムが巻回されかつ前記軸部に回転自在に外嵌されたフィルムロールと、
前記支持部内にそれぞれ嵌入された複数の支柱
を備え、
前記フィルムロールから引き出したカバーフィルムを、周方向の途中位置の前記支柱に引っ掛けるようにして前記フィルムロールと前記支柱の間及び前記支柱同士の間に張り渡し、
前記カバーフィルムの先端部を、周方向の端部位置の前記支柱に留め具で着脱自在に固定した
ことを特徴とするペット用トイレ。
【請求項６】
前記軸部をパイプ状に形成した請求項５に記載のペット用トイレ。
【請求項７】
前記支柱をパイプ状に形成した請求項５又は６に記載のペット用トイレ。
【請求項８】
前記カバーフィルムを、周方向の途中位置の前記支柱に留め具で着脱自在に固定した請求項５から７のいずれかに記載のペット用トイレ。
【発明の詳細な説明】
【技術分野】
【０００１】
本発明は、犬・猫等のペットが排尿する際の尿の飛散を防止するためのペット用トイレカバー及びペット用トイレに関するものである。
【背景技術】
【０００２】
従来のこの種の技術としては、
板状の部材に折れ線を設け、
前記折れ線を屈折させることにより、床面に対して立てた状態で使用し、
折り畳みも可能であると共に、
枠組に、尿を吸収するシート状の部材を設けた
ペットの糞尿ガード（例えば、特許文献１参照。）等が知られている。
【先行技術文献】
【特許文献】
【０００３】
【特許文献１】特開２０１３−００９６６０号公報（請求項１、請求項７、図１９、段落〔００２８〕、等）
【発明の開示】
【発明が解決しようとする課題】
【０００４】
上記のようなペットの糞尿ガードにおいては、貼り付け・挟み込み・差し込み等の方法により前記シート状の部材を枠組に固定可能であり、前記シート状の部材を交換して使い捨てとすることもできる。しかし、各枠組にそれぞれ前記シート状の部材を固定する必要があるので、前記シート状の部材の固定作業や交換作業に非常に手間がかかるという問題点がある。
【０００５】
本発明は、以上のような事情や問題点に鑑みてなされたものであり、ペットの尿の飛散を防止するためのカバー部材の固定作業や交換作業を簡単に行えるペット用トイレカバー及びペット用トイレを提供することを目的とする。
【課題を解決するための手段】
【０００６】
上記目的を達成するためのペット用トイレカバーに関する第１の発明は、
ペット用トイレの周囲に配置されるロール部材及び複数の支柱部材を備え、
前記ロール部材が、底板部と、前記底板部の上面に突設された軸部と、カバーフィルムが巻回されかつ前記軸部に回転自在に外嵌されたフィルムロールを備え、
前記支柱部材が、底板部と、前記底板部の上面に突設されたパイプ状の支持部と、前記支持部内に嵌入された支柱を備え、
前記フィルムロールから引き出したカバーフィルムを、周方向の途中位置の前記支柱に引っ掛けるようにして前記フィルムロールと前記支柱の間及び前記支柱同士の間に張り渡し、
前記カバーフィルムの先端部を、周方向の端部位置の前記支柱に留め具で着脱自在に固定した
ものである。
【０００７】
第２の発明は、前記軸部をパイプ状に形成したものである。
【０００８】
第３の発明は、前記支柱をパイプ状に形成したものである。
【０００９】
第４の発明は、前記カバーフィルムを、周方向の途中位置の前記支柱に留め具で着脱自在に固定したものである。
【００１０】
また、ペット用トイレに関する第５の発明は、
トイレ本体部と、
前記トイレ本体部の上面の隅部近傍にそれぞれ突設された軸部及び複数のパイプ状の支持部と、
カバーフィルムが巻回されかつ前記軸部に回転自在に外嵌されたフィルムロールと、
前記支持部内にそれぞれ嵌入された複数の支柱
を備え、
前記フィルムロールから引き出したカバーフィルムを、周方向の途中位置の前記支柱に引っ掛けるようにして前記フィルムロールと前記支柱の間及び前記支柱同士の間に張り渡し、
前記カバーフィルムの先端部を、周方向の端部位置の前記支柱に留め具で着脱自在に固定した
ものである。
【００１１】
第６の発明は、前記軸部をパイプ状に形成したものである。
【００１２】
第７の発明は、前記支柱をパイプ状に形成したものである。
【００１３】
第８の発明は、前記カバーフィルムを、周方向の途中位置の前記支柱に留め具で着脱自在に固定したものである。
【発明の効果】
【００１４】
第１及び第５の発明によれば、カバーフィルムを張り渡したり、不要部分を切除後にカバーフィルムを再度張り渡したりするだけでよいので、ペットの尿の飛散を防止するためのカバー部材の固定作業や交換作業を簡単に行うことができる。
【００１５】
第２の発明によれば、パイプ状の軸部に支柱を嵌入し、フィルムロールを支持部に外嵌することもできるので、底板部及びパイプ状の軸部を備えたロール部材用の部品と、底板部及びパイプ状の支持部を備えた支柱部材用の部品を共通化することができる。
【００１６】
第３及び第７の発明によれば、支柱の材料費を低減化することができると共に、留め具の一部を支柱内に挿入した状態で、カバーフィルムの上端部を支柱の上端部に留め具でより簡単に固定することができる。
【００１７】
第４及び第８の発明によれば、カバーフィルムのたるみを防止することができる。
【００１８】
第６の発明によれば、パイプ状の軸部に支柱を嵌入し、フィルムロールを適宜の支持部に外嵌することもできる。
【図面の簡単な説明】
【００１９】
【図１】第１実施形態におけるペット用トイレカバーのうちの底板部及び軸部（支持部）を示す斜視図である。
【図２】ロール部材の一部を省略した斜視図である。
【図３】支柱部材の一部を省略した斜視図である。
【図４】ペット用トイレの一例を示す斜視図である。
【図５】ペット用トイレの周囲にロール部材及び複数の支柱部材を配置してカバーフィルムを張り渡す様子を示す斜視図である。
【図６】カバーフィルムを張り渡した状態を示す斜視図である。
【図７】カバーフィルムを支柱に留め具で着脱自在に固定した状態を示す平面図である。
【図８】カバーフィルムを支柱に留め具で着脱自在に固定した状態を示す正面図である。
【図９】第２実施形態におけるペット用トイレのうちのトイレ本体部を示す斜視図である。
【図１０】トイレ本体部にフィルムロール及び複数の支柱を配置してカバーフィルムを張り渡す様子を示す斜視図である。
【図１１】カバーフィルムを支柱に留め具で着脱自在に固定した状態を示す平面図である。
【発明を実施するための形態】
【００２０】
以下、本発明の実施形態を、図面に基づいて説明する。
図１〜図８に示すように、第１実施形態におけるペット用トイレカバー１は、ペット用トイレ２の周囲に配置されるロール部材３及び例えば３つの支柱部材４を備えている。
【００２１】
ロール部材３は、図１及び図２に示すように、底板部５と、軸部６と、フィルムロール７を備えている。底板部５は、板状に形成されている。軸部６は、底板部５の上面に突設され、例えばパイプ状に形成されている。フィルムロール７は、カバーフィルム８が巻回され、軸部６に回転自在に外嵌されている。底板部５の平面視形状は、正方形状の他、多角形状、円状等でもよい。軸部６の形状は、円パイプ状の他、角パイプ状、円柱状、角柱状等でもよい。底板部５や軸部６の材質としては、金属やプラスチック等が挙げられる。カバーフィルム８の材質としては、透明、半透明、又は不透明のプラスチックフィルム等が挙げられる。カバーフィルム８の厚さは、特に限定されるものではなく、１００μｍより薄くてもよいし、２００μｍより厚くてもよい。
【００２２】
支柱部材４は、図１及び図３に示すように、底板部５と、軸部６と同様の支持部９と、支柱１０を備えている。すなわち、支持部９は、底板部５の上面に突設され、パイプ状に形成されている。支柱１０は、パイプ状に形成され、支持部９内に嵌入されている。支持部９の形状は、円パイプ状の他、角パイプ状等でもよい。支柱１０の形状は、支持部９の形状に合わせて、円パイプ状の他、丸棒状、角棒状、角パイプ状等でもよい。支持部９の材質としては、金属やプラスチック等が挙げられる。支柱１０の材質としては、金属、プラスチック、木材等が挙げられる。
【００２３】
ペット用トイレ２は、図４に示すように、例えば上部が開口した箱状に形成されている。ペット用トイレ２の平面視形状は、長方形状の他、正方形状、台形状、多角形状、楕円状、円状等でもよい。このように、ペット用トイレ２の構成は特に限定されるものではなく、従来公知の各種のペット用トイレ２の周囲にロール部材３及び複数の支柱部材４を配置することができる。
【００２４】
ペット用トイレカバー１の使用に際しては、図５及び図６に示すように、ペット用トイレ２の周囲にロール部材３及び例えば３つの支柱部材４を配置し、フィルムロール７から引き出したカバーフィルム８を、周方向の途中位置の支柱１０に引っ掛けるようにしてフィルムロール７と支柱１０の間及び支柱１０同士の間に張り渡す。そして、図７及び図８に示すように、カバーフィルム８の先端部を、周方向の端部位置の支柱１０に留め具１１で着脱自在に固定すればよい。更に、カバーフィルム８を周方向の途中位置の支柱１０に留め具１１で着脱自在に固定すれば、カバーフィルム８のたるみを防止できるという利点がある。支柱部材４の数は、必要に応じ、２つ又は４つ以上にしてもよい。留め具１１の構成は特に限定されるものではなく、従来公知の各種の構成を採用することができる。
【００２５】
カバーフィルム８の交換に際しては、まず、カバーフィルム８を適宜の位置で切断し、不要部分を取り外す。そして、上記と同様に、フィルムロール７から引き出したカバーフィルム８を、周方向の途中位置の支柱１０に引っ掛けるようにしてフィルムロール７と支柱１０の間及び支柱１０同士の間に張り渡し、カバーフィルム８の先端部を周方向の端部位置の支柱１０に留め具１１で着脱自在に固定し、必要に応じ、カバーフィルム８を周方向の途中位置の支柱１０に留め具１１で着脱自在に固定すればよい。
【００２６】
ここで、本実施形態のように、軸部６をパイプ状に形成しておけば、パイプ状の軸部６に支柱１０を嵌入し、フィルムロール７を支持部９に外嵌することもできるので、底板部５及びパイプ状の軸部６を備えたロール部材３用の部品と、底板部５及びパイプ状の支持部９を備えた支柱部材４用の部品を共通化できるという利点がある。また、支柱１０をパイプ状に形成しておけば、支柱１０の材料費を低減化できると共に、留め具１１の一部を支柱１０内に挿入した状態で、カバーフィルム８の上端部を支柱１０の上端部に留め具１１でより簡単に固定できるという利点がある。
【００２７】
上記のように構成されたペット用トイレ１によれば、カバーフィルム８を張り渡したり、不要部分を切除後にカバーフィルム８を再度張り渡したりするだけでよいので、ペットの尿の飛散を防止するためのカバー部材の固定作業や交換作業を簡単に行えるという利点がある。
【００２８】
図９〜図１１に示すように、第２実施形態におけるペット用トイレ２１は、トイレ本体部２２と、軸部２６及び例えば３つの支持部２９と、フィルムロール７と、例えば３つの支柱１０を備えている。
【００２９】
トイレ本体部２２は、図９に示すように、第１実施形態と同様、例えば上部が開口した箱状に形成されている。トイレ本体部２２の平面視形状は、長方形状の他、正方形状、台形状、多角形状、楕円状、円状等でもよい。このように、トイレ本体部２２の構成は特に限定されるものではなく、従来公知の各種の構成を採用することができる。
【００３０】
軸部２６は、トイレ本体部２２の上面の隅部近傍に突設され、例えばパイプ状に形成されている。支持部２９は、トイレ本体部２２の上面の例えば３つの隅部近傍にそれぞれ突設され、パイプ状に形成されている。フィルムロール７は、第１実施形態と同様、カバーフィルム８が巻回され、軸部２６に回転自在に外嵌されている。支柱１０は、第１実施形態と同様、パイプ状に形成され、支持部２９内にそれぞれ嵌入されている。ここで、本実施形態のように、軸部２６をパイプ状に形成しておけば、パイプ状の軸部２６に支柱１０を嵌入し、フィルムロール７を適宜の支持部２９に外嵌することもできるという利点がある。支持部２９及び支柱１０の数は、必要に応じ、それぞれ２つずつ又は４つずつ以上にしてもよい。
【００３１】
ペット用トイレ２１の使用に際しては、フィルムロール７から引き出したカバーフィルム８を、周方向の途中位置の支柱１０に引っ掛けるようにしてフィルムロール７と支柱１０の間及び支柱１０同士の間に張り渡し、カバーフィルム８の先端部を周方向の端部位置の支柱１０に留め具１１で着脱自在に固定し、必要に応じ、カバーフィルム８を周方向の途中位置の支柱１０に留め具１１で着脱自在に固定すればよい。
【００３２】
上記のように構成されたペット用トイレ２１によれば、第１実施形態と同様、カバーフィルム８を張り渡したり、不要部分を切除後にカバーフィルム８を再度張り渡したりするだけでよいので、ペットの尿の飛散を防止するためのカバー部材の固定作業や交換作業を簡単に行えるという利点がある。その他の第２実施形態の利点は、第１実施形態と同様である。
【産業上の利用可能性】
【００３３】
以上のように、本発明のペット用トイレカバー及びペット用トイレは、ペットの尿飛散防止用のカバー部材の固定作業や交換作業を簡単に行うための手段として有用である。
【符号の説明】
【００３４】
１  ペット用トイレカバー
２  ペット用トイレ
３  ロール部材
４  支柱部材
５  底板部
６  軸部
７  フィルムロール
８  カバーフィルム
９  支持部
１０  支柱
１１  留め具
２１  ペット用トイレ
２２  トイレ本体部
２６  軸部
２９  支持部
【図１】
2019068764.tif 000003
【図２】
2019068764.tif 000004
【図３】
2019068764.tif 000005
【図４】
2019068764.tif 000006
【図５】
2019068764.tif 000007
【図６】
2019068764.tif 000008
【図７】
2019068764.tif 000009
【図８】
2019068764.tif 000010
【図９】
2019068764.tif 000011
【図１０】
2019068764.tif 000012
【図１１】
2019068764.tif 000013